(57)【要約】  本発明は、電磁干渉から遮蔽するためのハウジング（１）に関連しており、ハウジング（１）は、各々が伝導性材料で作られた第１のベルクロ式締結要素（３）を備える第１のハウジング構成要素（２）及び第２のベルクロ式締結要素（５）を備える第２のハウジング構成要素（４）を含んでおり、第１のハウジング構成要素（２）と第２のハウジング構成要素（４）との間の開口（６）が伝導性材料で作られた第３のベルクロ式締結要素（７）によって電磁的シーリング様式で閉鎖される。
2009521106.tif 000002
【特許請求の範囲】
【請求項１】
電磁干渉から遮蔽するためのハウジング（１）であって、各々が伝導性材料で作られた第１のベルクロ式締結要素（３）を備える第１のハウジング構成要素（２）及び第２のベルクロ式締結要素（５）を備える第２のハウジング構成要素（４）を含んでおり、第１のハウジング構成要素（２）と第２のハウジング構成要素（４）との間の開口（６）が、第１のベルクロ式締結要素（３）及び第２のベルクロ式締結要素（５）と協働してベルクロ式締結を形成する伝導性材料で作られた第３のベルクロ式締結要素（７）によって電磁的シーリング様式で閉鎖されることを特徴とするハウジング。
【請求項２】
ベルクロ式締結要素（３、５、７）の伝導性材料は金属であることを特徴とする請求項１に記載のハウジング。
【請求項３】
第１及び第２のハウジング構成要素（２、４）の側壁（８、９）は各々、ベルクロ式締結要素（３、５）の付着層と対応する拡大表面積を備える金属層を備えることを特徴とする請求項１又は２に記載のハウジング。
【請求項４】
拡大表面積を備える金属層は蒸着によって第１及び第２のハウジング構成要素（２、４）の側壁（８、９）に適用されることを特徴とする請求項３に記載のハウジング。
【請求項５】
第３のベルクロ式締結要素（７）は第１のベルクロ式締結要素（３）と第２のベルクロ式締結要素（５）との間の接続部として設けられることを特徴とする請求項１〜３のいずれか１項に記載のハウジング。
【請求項６】
周囲溝（１０）が第１のハウジング構成要素（２）及び第２のハウジング構成要素（４）の側壁（８、９）の外端にそれぞれ設けられることを特徴とする請求項１〜５のいずれか１項に記載のハウジング。
【請求項７】
ベルクロ式締結要素（３、５）は第１及び第２のハウジング構成要素（２、４）の周囲溝（１０）にそれぞれ挿入されることを特徴とする請求項６に記載のハウジング。
【請求項８】
ベルクロ式締結要素（３、５）は締め付け効果によって第１及び第２のハウジング構成要素（２、４）の周囲溝（１０）にそれぞれ取り付けられることを特徴とする請求項６に記載のハウジング。
【請求項９】
ベルクロ式締結要素（３、５）は第１及び第２のハウジング構成要素（２、４）の周囲溝（１０）にそれぞれ接着されることを特徴とする請求項６に記載のハウジング。
【請求項１０】
ベルクロ式締結要素（３、５）は第１及び第２のハウジング構成要素（２、４）の周囲溝（１０）にそれぞれ溶接されることを特徴とする請求項６に記載のハウジング。
【請求項１１】
第３のベルクロ式締結要素（７）は、第１及び第２のハウジング構成要素（２、４）の間の接触点（１２）における開口（６）が電磁的シーリング様式で閉鎖されるようにして、溝（１０）に挿入又はそれぞれ嵌合されたベルクロ式締結要素（３、５）の上に取り付けられることを特徴とする請求項１〜１０のいずれか１項に記載のハウジング。
【請求項１２】
各々のベルクロ式締結要素（３、５、７）はベルクロ式締結テープであることを特徴とする請求項１〜１１のいずれか１項に記載のハウジング。
【請求項１３】
ベルクロ式締結要素（３、５、７）のための伝導性材料は伝導性合成材料であることを特徴とする請求項１〜１２のいずれか１項に記載のハウジング。
【発明の詳細な説明】
【技術分野】
【０００１】
本発明は、電磁干渉から遮蔽するためのハウジングに関する。
【背景技術】
【０００２】
試験目的で電子装置をフィールド制限（field-bound）電磁干渉から遮蔽するための装置が特許文献１から知られている。その装置は、試験を受ける装置にその形状に関し適合可能な伝導性材料で作られた柔軟性外皮より構成され、それは電磁干渉に不透過性であり全面で包囲されており、この場合それは好ましくは金属化織物である。この脈絡において、全面で包囲された外皮は、ジッパー又は織物のベルクロ式（velcro-type）締結具を備える。
【０００３】
更に、その第１のハウジング構成要素及び第２のハウジング構成要素が多数のねじ接続部によって互いに取り付けられる２部品ハウジングが実際上慣行となっている。この脈絡における不利益は、多数のねじ接続部の扱いにくさであり、それらは実際、機械的に安定しているが、製造及び締結が高コストである。さらなる不利益は、電磁放射によって透過できる開口が個々のねじ接続部間に存在するので、この種のハウジングが必ずしも完全には電磁的に密封されないということである。
【特許文献１】独国特許出願公開第３６３８１２Ａ１号
【発明の開示】
【発明が解決しようとする課題】
【０００４】
従って、本発明は、そのハウジング構成要素が非破壊的様式で容易に分離可能であり、ハウジング構成要素間の接続が完全に電磁的に密封されるハウジングを提供するという目的に基づいている。
【課題を解決するための手段】
【０００５】
この目的は、請求項１に記載されたハウジングによって本発明に従って達成される。
【０００６】
請求項１は、電磁干渉から遮蔽するためのハウジングを記載している。本発明によるハウジングは、第１のベルクロ式締結要素を備える第１のハウジング構成要素及び第２のベルクロ式締結要素を備える第２のハウジング構成要素より構成され、各々伝導性材料より構成されており、第１のハウジング構成要素と第２のハウジング構成要素との間の開口が伝導性材料で作られた第３のベルクロ式締結要素によって電磁的シーリング様式で閉鎖される。
【０００７】
本発明によるハウジングの１つの長所は、２つのハウジング構成要素が一方が他方の上に嵌合した時に、２つのハウジング構成要素間に製造公差から生じる開口が電磁的シーリング様式で閉鎖されるということであり、それにより本発明によるハウジング周囲の環境に対する良好な電磁遮蔽が本発明によるハウジング内部で保証される。
【０００８】
本発明の有利なさらなる発展は従属請求項において指定されている。
【０００９】
本発明によるハウジングのさらなる長所は、第１及び第２のハウジング構成要素の材料とともにベルクロ式締結要素の材料の両方が金属で作ることができ、それによりハウジングは電磁的シーリング様式で閉鎖されるということである。本発明によるハウジングの他の有利な発展は、ベルクロ式締結要素を伝導性合成材料で製造することである。
【００１０】
更に、２つのハウジング構成要素が互いから容易にかつ非破壊的様式で分離できることも有利である。
【発明を実施するための最良の形態】
【００１１】
本発明の例示的実施形態を図面に関して以下で更に詳細に説明する。図面は次の通りである。
【００１２】
図１は、３つのベルクロ式締結要素３、５、７を備える本発明によるハウジング１の断面図を示す。電磁干渉から遮蔽するための本発明によるハウジング１は、第１のベルクロ式締結要素３を備える第１のハウジング構成要素２及び第２のベルクロ式締結要素５を備える第２のハウジング構成要素４より構成される。第１及び第２のベルクロ式締結要素３、５は各々、伝導性材料、特に金属又は導電性合成材料で作られている。製造公差の結果、２つのハウジング構成要素２、４が一方が他方の上に嵌合した時、開口６が形成され、それは電磁放射に透過性である。この開口６は、伝導性材料で製造される第３のベルクロ式締結要素７によって電磁的シーリング様式で閉鎖され、それによって本発明によるハウジング１の環境に関してハウジングの内部１１の良好な遮蔽を保証する。
【００１３】
３つのベルクロ式締結要素３、５、７の伝導性材料は、金属又は伝導性合成材料のどちらかである。
【００１４】
第１及び第２のハウジング構成要素２、４の側壁８、９は各々、ベルクロ式締結要素３、５の付着層に対応する拡大表面積を備える金属層を備えることができ、拡大表面積を備える金属層は蒸着によって第１及び第２のハウジング構成要素２、４の側壁８、９に適用することができる。
【００１５】
第３のベルクロ式締結要素７は、第１のベルクロ式締結要素３と第２のベルクロ式締結要素５との間の接続部として設けられ、第１及び第２のハウジング構成要素２、４間の接触点１２を包囲する。従って、第３のベルクロ式締結要素７は、第１及び第２のベルクロ式締結要素３、５を対要素として補足するように設計されている。例えば、それはフックを備えるのに対し、第１及び第２のベルクロ式締結要素はフェルトを備えており、またその逆も同様である。
【００１６】
例示的実施形態において、周囲溝１０が第１のハウジング構成要素２及び第２のハウジング構成要素３の１つの側壁８、９の外端に設けられている。本発明によるハウジング１は、第１のハウジング構成要素２を第２のハウジング構成要素４に嵌合することによって閉鎖される。
【００１７】
例示的実施形態における第１及び第２のハウジング構成要素３、４の側壁８、９は各々、それぞれの上側部に周囲凹部１３、１４を備えており、これらの凹部１３、１４は互いに相補的であるように設計されている。第１のハウジング構成要素２が第２のハウジング構成要素４に置かれると、第２のハウジング構成要素４の突出部１６が第１のハウジング構成要素２の凹部１３に嵌合し、それにより第１のハウジング構成要素２は安定した様式で第２のハウジング構成要素４に嵌合され滑脱しないように確保される。第１のハウジング構成要素２の突出部１５は第２のハウジング構成要素４の凹部１４に嵌合し、それにより両方のハウジング構成要素２、４が密に接触して配置される。
【００１８】
個々の場合で、ベルクロ式締結要素３、５は２つのハウジング構成要素の周囲溝１０に挿入され、ベルクロ式締結要素３、５の幅は溝１０の幅に対応しており、従って後者に確実に締め付けられる。ベルクロ式締結要素３、５は、第１及び第２のハウジング構成要素２、４の周囲溝１０に、接着、締め付け、挿入又は溶接することができる。
【００１９】
第３のベルクロ式締結要素７は、第１及び第２のハウジング構成要素２、４間の接触点１２の開口６が電磁的シーリング様式で閉鎖されるようにして、溝１０に挿入、接着、締め付け又は溶接されたベルクロ式締結要素３、５の上に付けられ、この場合、ベルクロ式締結要素３、５、７は好ましくは連続したベルクロ式締結テープである。
【００２０】
本発明は、例示された例示的実施形態又は説明された例示的実施形態に制限されず、例えばまた、比較的低コストで安定的かつ可逆的又は非破壊的な様式で同時に２つのハウジングを互いに連結するために使用することもできる。
【図面の簡単な説明】
【００２１】
【図１】３つのベルクロ式締結要素を備える本発明によるハウジングの断面図
【符号の説明】
【００２２】
１  ハウジング
２、４  ハウジング構成要素
３、５、７  ベルクロ式締結要素
６  開口
８、９  側壁
１０  周囲溝
１１  内部
１２  接触点
１３、１４  周囲凹部
１５、１６  突出部
【図１】
2009521106.tif 000003
【国際調査報告】
2009521106.tif 000004
2009521106.tif 000005
2009521106.tif 000006
2009521106.tif 000007